(57)【特許請求の範囲】
【請求項１】
遊技領域の中央に設けられた映像表示装置と、前記映像表示装置の外周部に設けられる合成樹脂製の図柄表示装置と、を備えたパチンコ機において、
前記図柄表示装置は、頂部から左右斜め下方向に向けて傾斜して、上方から落下してきたパチンコ球が滑り落ちる傾斜面が形成された一対の肩部と、
前記各肩部の傾斜面に移動可能に設けられると共に、上面が下向きに傾斜する一対の凸状部と、
を有することを特徴とするパチンコ機。
【発明の詳細な説明】
【０００１】
【発明の属する技術分野】
本発明は、遊技領域の役物に保護カバーを備えたパチンコ機に関し、特に、特別役物等の保護カバーの肩部の下方位置に凸状部を形成することにより、パチンコ球の落下方向を変化させるとともにパチンコ球を遊技領域に長く滞留させることができ、パチンコゲームにより意外性を持たせることが可能となり、また、遊技者により興趣を起こさせることが可能なパチンコ機に関するものである。
【０００２】
【従来の技術】
従来より、パチンコ機の遊技領域のほぼ中央には、ＣＲＴ（Cathode Ray Tube）やＬＣＤ（Liquid Crystal Display）等を用いた種々の図柄表示装置や、開閉部材を所定角度範囲を以て回動変化させる羽根式等の可動入賞装置等が取り付けられている。そして、これらの図柄表示装置や可動入賞装置の外周部にはＣＲＴ、ＬＣＤ、及び開閉部材等を保護するために保護カバーが設けられている。そして、前記保護カバーの肩部の周縁部にはパチンコ球の落下を変化させるための遊技くぎが所定位置に打設されている。また、保護カバーの肩部はパチンコ球が引っかからないように外側下がりの滑らかな面が形成されている。したがって、保護カバーの上方向から落下してくるパチンコ球は、遊技くぎに当たって、不規則に落下方向を変えて落下し、また、保護カバーの肩部に落下したパチンコ球は肩部の面に沿って落下し、落下方向先の遊技くぎに当たって、不規則に落下方向を変えて落下する。
【０００３】
従来のパチンコ機の前記保護カバーの肩部に落下したパチンコ球の転動軌跡の例を図４に基づいて説明する。図４は従来のパチンコ機の図柄表示装置の保護カバーの肩部に落下したパチンコ球の転動軌跡の例を示す一部分を拡大した斜視図である。
図４において、遊技領域のほぼ中央に配設されたＡＢＳ樹脂等の合成樹脂により形成された図柄表示装置１１８は、特別図柄を表示する映像表示装置１１９が遊技盤の裏面側から設けられている。また、図柄表示装置１１８の頂部には入賞口１２０が形成され、遊技盤裏面の不図示の賞球樋に連通されている。また、図柄表示装置１１８の両肩部１２１、１２２は、ほぼ直線状に斜め下に下がっており、各肩部１２１、１２２の表面はほぼ平らに形成されている。
【０００４】
次に、このように構成された図柄表示装置１１８の各肩部１２１、１２２の上方位置に当たって、各肩部１２１、１２２上を転動落下するパチンコ球の軌跡について説明する。図柄表示装置１１８の左上側から落下したパチンコ球Ａ１０１は、左肩部１２１の上方位置に当たる。その後、当たったパチンコ球Ａ１０２は左肩部１２１上を左下方へ滑る。そして、滑り落ちるパチンコ球Ａ１０３は、左肩部１２１の下端より左下方向に飛び出す。飛び出したパチンコ球Ａ１０４は飛び出し方向に打設された遊技くぎ等に当たるまで慣性で遊技領域を転動する。また、図柄表示装置１１８の右上側から落下したパチンコ球Ｂ１０１は、右肩部１２２の上方位置に当たる。その後、当たったパチンコ球Ｂ１０２は右肩部１２２上を右下方へ滑る。そして、滑り落ちるパチンコ球Ｂ１０３は、右肩部１２２の下端より右下方向に飛び出す。飛び出したパチンコ球Ｂ１０４は飛び出し方向に打設された遊技くぎ等に当たるまで慣性で遊技領域を転動する。
よって、図柄表示装置１１８の両肩部１２１、１２２上を転動落下するパチンコ球の落下スピードは、各肩部１２１、１２２の表面との摩擦によりある程度減速されて、左下方向又は右下方向に転動落下する。
【０００５】
【発明が解決しようとする課題】
しかしながら、遊技くぎに当たって落下していくパチンコ球の落下スピードはほとんど減速されないため、パチンコ球の遊技領域に滞留する時間が短く、また、保護カバーの肩部に乗ったパチンコ球は、肩部を滑る間に落下スピードをある程度減速されるが、落下方向をほぼ予測できるためにゲーム性が損なわれるという問題がある。
【０００６】
そこで、本発明は、上述した問題点を解決するためになされたものであり、前記保護カバーの肩部の下方位置に凸状部を形成することにより、パチンコ球が保護カバーの肩部を滑って下方位置の凸状部に当たり、パチンコ球の落下スピードが大きく減速されるため、遊技領域内を同時に転動するパチンコ球の個数が増加し、遊技者がよりパチンコゲームを楽しむことができるパチンコ機を提供することを目的とする。
また、パチンコ球が保護カバーの肩部を滑って下方位置の凸状部に当って、ランダムな方向に飛ぶため、パチンコ球がより不規則に転動し、パチンコゲームにより意外性を持たせることができるパチンコ機を提供することを目的とする。
【０００７】
【課題を解決するための手段】
前記目的を達成するために、請求項１に係るパチンコ機は、遊技領域の中央に設けられた映像表示装置と、前記映像表示装置の外周部に設けられる合成樹脂製の図柄表示装置と、を備えたパチンコ機において、前記図柄表示装置は、頂部から左右斜め下方向に向けて傾斜して、上方から落下してきたパチンコ球が滑り落ちる傾斜面が形成された一対の肩部と、前記各肩部の傾斜面に移動可能に設けられると共に、上面が下向きに傾斜する一対の凸状部と、を有することを特徴とする。
【０００８】
このような特徴を有する請求項１に係るパチンコ機においては、遊技盤に形成された遊技領域の中央に設けられた映像表示装置の外周部に合成樹脂製の図柄表示装置が設けられている。また、この図柄表示装置には、頂部から左右斜め下方向に向けて傾斜して、上方から落下してきたパチンコ球が滑り落ちる傾斜面が形成された一対の肩部が設けられると共に、各肩部の傾斜面には、上面が下向きに傾斜する凸状部が移動可能に設けられている。
これにより、パチンコ球が図柄表示装置の肩部を滑って、移動可能に設けられた凸状部に当たり、パチンコ球の落下スピードが大きく減速されるため、遊技領域内を同時に転動するパチンコ球の個数が増加し、遊技者がよりパチンコゲームを楽しむことができる。
また、凸状部に当たったパチンコ球は、凸状部の上面が下向きに傾斜するため、凸状部の上面によって落下方向をランダムな方向に変化させられる。これにより、パチンコ球が図柄表示装置の肩部を滑って凸状部に当った後、ランダムな方向に飛ぶため、パチンコ球がより不規則に転動し、パチンコゲームにより意外性を持たせることが可能となる。
【０００９】
【００１０】
【００１１】
【００１２】
【００１３】
【発明の実施の形態】
以下、本発明に係るパチンコ機について、具体化した実施の形態を図面を参照して詳細に説明する。
先ず、本実施形態に係るパチンコ機の全体構成について図１及び図２に基づき説明する。図１は本実施形態に係るパチンコ機全体を示した正面図である。図２は、パチンコ機１の遊技領域を示した正面図である。
図１において、パチンコ機１は、いわゆる第一種パチンコ機である。パチンコ機１は、後述する入賞口、図柄表示装置、電動役物及び、ゲート等の各種構造物が遊技盤２上に配設されている。その遊技盤２の下には、不図示の樋を介して排出される賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３のパチンコ球がハンドル６に連結された不図示の発射装置へ送られるよう構成されている。
一方、遊技盤２の周りには、遊技中のエラーを表示するエラー表示ランプ７や「当たり」を表示する当たり表示ランプ８，８が設けられている。また、遊技盤２を囲んだ枠９内には、両肩部に賞球及び球切れ表示ランプ１０，１０が設けられている。
【００１４】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。そして、その段差部１４には軸１５に支持された返しゴム１６が配設されている。
【００１５】
遊技領域１１のほぼ中央には、開口部（図示されていない）が開設され、この開口部の前面側にＡＢＳ樹脂等の合成樹脂製の図柄表示装置１８が配設されている。図柄表示装置１８は、左、中、右に３分割された特別図柄を表示する映像表示装置１９が遊技盤２の裏面側から設けられ、また、図柄表示装置１８の上方に一面の可変表示手段である図柄表示器２０が設けられている。また、図柄表示装置１８は、頂部に入賞口２１が形成され遊技盤２裏面の不図示の賞球樋に連通されている。また、図柄表示装置１８の両肩部５１、５３の下方の位置に凸状部５２、５４が形成されている。
一方、図柄表示装置１８の左右には入賞口２３，２４が設けられている。そして、図柄表示装置１８の両肩側には電飾ランプ付きの風車２５，２６が、また入賞口２３，２４の両側及び図柄表示装置１８の間には通常の風車２８，２９、及び２７，３０が設けられている。
【００１６】
また、図柄表示装置１８の直下には、始動口３５が配設されている。始動口３５は、パチンコ球の入賞を検出する検出スイッチ（図示されていない）が備えられ、この始動口３５にパチンコ球が入賞することを検出することで映像表示装置１９を作動させる。
そして、始動口３５の下方には、大入賞口３１が形成された特別電動役物３２が配設されている。大入賞口３１は、横幅を持った上方に開口する開閉扉３３が、始動口３５にパチンコ球が入り、映像表示装置１９の図柄が変動した後に、所定状態を達成した場合（例えば、ＡＡＡのようにそろった場合等）に開かれる。この開閉扉３３は、不図示のソレノイドによって開口するよう構成されている。
【００１７】
そして、このような特別電動役物３２の両側上方には電飾ランプが施された下入賞口４２，４３が配設され、特別電動役物３２の直下にはレール１２に沿ってアウト口４４が開設されている。更に、レール１２に囲まれたこのような遊技領域１１には、前記各構成物とともに複数の遊技くぎが打設されてパチンコ球の複雑な流路を構成している。
【００１８】
次に、このように構成されたパチンコ機１の図柄表示装置１８の両肩部５１、５３を滑って各凸状部５２、５４に当たるパチンコ球の転動する軌跡の例を図３に基づいて説明する。図３は、両肩部５１、５３に落下したパチンコ球の転動軌跡の例を示す正面図である。
図３において、図柄表示装置１８の左肩部５１に落下したパチンコ球の転動軌跡の一例をパチンコ球Ａ１〜Ａ７に示す。図柄表示装置１８の左側上方から落下したパチンコ球Ａ１は、左肩部５１の上方位置に当たる。その後、当たったパチンコ球Ａ２は、左肩部５１上を左下方へ滑る。そして、滑り落ちるパチンコ球Ａ３は、左肩部５１の下方位置に形成された凸状部５２に当たる。次に、凸状部５２に当たったパチンコ球Ａ４は、凸状部５２のやや下向きに形成された上面５５を滑った後、凸状部５２の先端部に達したパチンコ球Ａ５は、滑り速度が速い場合は慣性により遊技くぎ５７に当たり、反発したパチンコ球Ａ６は、遊技くぎ５６に当たり、当たったパチンコ球Ａ７は反発により左下方向に飛んでいく。
また、図柄表示装置１８の右肩部５３に落下したパチンコ球の転動軌跡の一例をパチンコ球Ｂ１〜Ｂ７に示す。図柄表示装置１８の右側上方から落下したパチンコ球Ｂ１は、右肩部５３の上方位置に当たる。その後、当たったパチンコ球Ｂ２は、右肩部５３上を右下方へ滑る。そして、滑り落ちるパチンコ球Ｂ３は、右肩部５３の下方位置に形成された凸状部５４に当たる。次に、凸状部５４に当たったパチンコ球Ｂ４は、凸状部５４のやや下向きに形成された上面５６を滑った後、凸状部５４の先端部に達したパチンコ球Ｂ５は、滑り速度が遅い場合は凸状部５４の先端のほぼ真下の図柄表示装置１８の保護カバー部に当たり、保護カバー部に当たったパチンコ球Ｂ６は、遊技くぎ５８と遊技くぎ５９の間を通り、右下方向に飛んでいく。
したがって、図柄表示装置１８の各肩部５１、５３に当たる各パチンコ球は、各肩部５１、５３に当たるときの衝突位置、衝突スピード、衝突角度、及び、各肩部を滑る長さ等により各々、凸状部５２、５４の先端における飛び出しスピード等が異なり、落下方向がランダムに変化する。また、各肩部５１、５３を滑り、各凸状部５２、５４に当たったパチンコ球は落下スピードを大きく減速される。
【００１９】
以上詳細に説明した通り本実施形態に係るパチンコ機１では、図柄表示装置１８の各肩部５１、５３の下方位置に凸状部５２、５４が形成され、各肩部５１、５３上を滑ったパチンコ球は、各凸状部５２、５４に当たって落下スピードを大きく減速されるとともに、各凸状部５２、５４からランダムな方向に飛び出して、遊技領域１１内を落下する。
したがって、図柄表示装置１８の各肩部５１、５３に当たる各パチンコ球は、各肩部５１、５３に当たるときの衝突スピード、衝突角度、及び、各肩部を滑る長さ等により各々、凸状部５２、５４の先端における飛び出しスピード等が異なってくるため、遊技くぎによる反発とは違って、パチンコ球がより不規則に転動し、パチンコゲームにより意外性を持たせることが可能となる。また、パチンコ球が各肩部５１、５３を滑って下方位置に形成された各凸状部５２、５４に当たり、パチンコ球の落下スピードが大きく減速されるため、遊技領域１１内を同時に転動するパチンコ球の個数が増加し、遊技者がよりパチンコゲームを楽しむことが可能となる。
【００２０】
尚、本発明は前記第１及び第２実施形態に限定されるものではなく、本発明の要旨を逸脱しない範囲内で種々の改良、変形が可能であることは勿論であり、以下のようにしてもよい。
（ａ）前記実施形態では凸状部５２、５４が一体成形により形成されているが、別体にて作製し、取り外し可能にしてもよい。
（ｂ）前記実施形態では凸状部５２、５４が一体成形により固定的に形成されているが、別体にて作製し、移動可能な構成にしてもよい。
（ｃ）前記実施形態では両肩部５１、５３に各一個ずつ凸状部５２、５４を設けているが、片方の肩部だけにしてもよい。また、各肩部５１、５３の下方位置に各々、２個以上の凸状部を形成してもよい。
【００２１】
【発明の効果】
以上説明した通り、請求項１に係るパチンコ機によれば、遊技盤に形成された遊技領域の中央に設けられた映像表示装置の外周部に合成樹脂製の図柄表示装置が設けられている。また、この図柄表示装置には、頂部から左右斜め下方向に向けて傾斜して、上方から落下してきたパチンコ球が滑り落ちる傾斜面が形成された一対の肩部が設けられると共に、各肩部の傾斜面には、上面が下向きに傾斜する凸状部が移動可能に設けられている。
これにより、パチンコ球が図柄表示装置の肩部を滑って、移動可能に設けられた凸状部に当たり、パチンコ球の落下スピードが大きく減速されるため、遊技領域内を同時に転動するパチンコ球の個数が増加し、遊技者がよりパチンコゲームを楽しむことができるパチンコ機を提供することができる。
また、凸状部に当たったパチンコ球は、凸状部の上面が下向きに傾斜するため、凸状部の上面によって落下方向をランダムな方向に変化させられる。これにより、パチンコ球が図柄表示装置の肩部を滑って凸状部に当った後、ランダムな方向に飛ぶため、パチンコ球がより不規則に転動し、パチンコゲームにより意外性を持たせることが可能なパチンコ機を提供することができる。
【００２２】
【００２３】
【図面の簡単な説明】
【図１】  本実施形態に係るパチンコ機全体を示した正面図である。
【図２】  本実施形態に係るパチンコ機の遊技領域を示した正面図である。
【図３】  本実施形態に係るパチンコ機において、図柄表示装置の両肩部に落下したパチンコ球の転動軌跡の例を示す正面図である。
【図４】  従来のパチンコ機において、図柄表示装置の保護カバーの両肩部に落下したパチンコ球の転動軌跡の例を示す一部分を拡大した斜視図である。
【符号の説明】
１                                    パチンコ機
２                                    遊技盤
１１                                    遊技領域
１８、１１８                            図柄表示装置
５１、５３、１２１、１２２              肩部
５２、５４                              凸状部
Ａ１〜Ａ７、Ｂ１〜Ｂ７                  本実施例のパチンコ球の転動軌跡
Ａ１０１〜Ａ１０４、Ｂ１０１〜Ｂ１０４  従来のパチンコ球の転動軌跡
【図１】
0003948537.tif 000002
【図２】
0003948537.tif 000003
【図３】
0003948537.tif 000004
【図４】
0003948537.tif 000005